(57)【要約】【課題】良好なシール性を確保することができるダイカスト鋳造装置の提供。【解決手段】当該ダイカスト鋳造装置（１０）は、第一の金型と第二の金型（１、２）と、減圧装置（５）と、シール部材（３）とを備える。減圧装置（５）は、第一の金型と第二の金型と（１、２）を型閉めした場合、第一の金型と第二の金型と（１、２）の金型キャビティ（Ｃ１）を減圧する。シール部材（３）は、第一の金型と第二の金型と（１、２）を型閉めした場合、第一の金型と第二の金型と（１、２）が互いに押し合う合わせ面（１１ａ、２１ａ）に設けられ、金型キャビティ（Ｃ１）の周囲をシールする。シール部材（３）は、弾性を有する。シール部材（３）の内部には、流路（３ａ）が設けられている。流体供給装置（４）は、流体をシール部材（３）の流路（３ａ）に供給する。【選択図】図２
2019093397.tif 000002
【特許請求の範囲】
【請求項１】
第一の金型と、
第二の金型と、
当該第一の金型と当該第二の金型とを型閉めした場合、当該第一の金型と当該第二の金型との金型キャビティを減圧する減圧装置と、
当該第一の金型と当該第二の金型とを型閉めした場合、当該第一の金型と当該第二の金型とが互いに押し合う合わせ面に設けられ、当該金型キャビティの周囲をシールするシール部材とを備え、
前記シール部材は、弾性を有し、
前記シール部材の内部には、流路が設けられ、
流体供給装置は、流体を前記シール部材の前記流路に供給する、
ダイカスト鋳造装置。
【発明の詳細な説明】
【技術分野】
【０００１】
本発明は、ダイカスト鋳造装置に関する。
【背景技術】
【０００２】
特許文献１に開示のダイカスト鋳造装置は、金型キャビティを減圧する減圧ポンプと、可動側おも型の合せ面に設けられたＯリングとを備える。
【先行技術文献】
【特許文献】
【０００３】
【特許文献１】特開２００６−３３４６４９号公報
【発明の概要】
【発明が解決しようとする課題】
【０００４】
このようなダイカスト鋳造装置を用いて、鋳造を連続的に繰り返し行ない、複数のダイカスト鋳造品を製造する。しかし、鋳造を連続的に繰り返すと、良好なシール機能を確保できなくなることがあった。この理由として、例えば、シール部材が摩耗したり、変形したりすることや、金型自体の変形や位置ずれ等が挙げられる。
【０００５】
本発明は、良好なシール性を確保するものとする。
【課題を解決するための手段】
【０００６】
本発明に係るダイカスト鋳造装置は、
第一の金型と、
第二の金型と、
当該第一の金型と当該第二の金型とを型閉めした場合、当該第一の金型と当該第二の金型との金型キャビティを減圧する減圧装置と、
当該第一の金型と当該第二の金型とを型閉めした場合、当該第一の金型と当該第二の金型とが互いに押し合う合わせ面に設けられ、当該金型キャビティの周囲をシールするシール部材とを備え、
前記シール部材は、弾性を有し、
前記シール部材の内部には、流路が設けられ、
流体供給装置は、流体を前記シール部材の前記流路に供給する。
【０００７】
このような構成によれば、第一の金型と第二の金型とを型閉めした後、流体をシール部材の流路に供給する。これによって、シール部材の摩耗、変形、金型の変形、位置ずれ等が生じたとしても、シール部材の体積が膨張し、第一の金型と第二の金型との合わせ面の変位に追従することができる。すなわち、シール性の低下を抑制し、良好なシール性を確保することができる。
【発明の効果】
【０００８】
本発明は、良好なシール性を確保することができる。
【図面の簡単な説明】
【０００９】
【図１】実施の形態１に係るダイカスト鋳造装置の模式的な斜視図である。
【図２】実施の形態１に係るダイカスト鋳造装置の概略図である。
【図３】実施の形態１に係るダイカスト鋳造装置の要部の模試的な断面図である。
【図４】実施の形態１に係るダイカスト鋳造装置の動作を示す模式図である。
【発明を実施するための形態】
【００１０】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。図１〜４では、三次元ｘｙｚ直交座標を規定した。
【００１１】
（実施の形態１）
図１〜図３を参照して実施の形態１について説明する。
【００１２】
図１及び図２に示すように、ダイカスト鋳造装置１０は、固定金型１と、可動金型２と、シール部材３と、流体供給制御装置４と、減圧装置５とを備える。なお、図１に示す固定金型１と可動金型２とは、離間している一方、図２に示す固定金型１と可動金型２とは、互いに押し合わされている。また、図１では、分かり易さのため、流体供給制御装置４と、減圧装置５との図示を省略した。ダイカスト鋳造装置１０は、適宜、ダイカスト鋳造を行うために必要な装置、例えば、ダイカストマシン等の装置を備えてもよい。
【００１３】
固定金型１は、固定側おも型１１と、入子１２とを備える。固定側おも型１１は、ダイカストマシン（図示略）等によって所定の位置に固定されている。固定側おも型１１は、入子１２を保持する。固定金型１は、射出スリーブ１ａを組み付けられる。射出スリーブ１ａの内側には、プランジャチップ（図示略）が射出スリーブ１ａの軸方向（ここでは、ｙ軸方向）に移動可能に設けられている。注湯装置等を用いて溶湯を射出スリーブ１ａの内側に供給した後、プランジャチップを用いて金型キャビティＣ１に向かって押し出すことによって、この溶湯を金型キャビティＣ１へ充填する。固定金型１は、合わせ面１１ａ（固定側分割面１１ａとも称する）を備える。
【００１４】
可動金型２は、可動側おも型２１と、入子２２とを備える。可動側おも型２１は、ダイカストマシン（図示略）等によって固定金型１に押し合わせる、及び、固定金型１から離間することができるように移動可能に保持されている。可動側おも型２１は、入子２２を保持する。可動金型２は、合わせ面２１ａ（可動側分割面２１ａとも称する）を備える。固定金型１と可動金型２とを押し合わせると、合わせ面１１ａと、合わせ面２１ａとが互いに押し合わす。合わせ面２１ａには、入子２２の周囲を包囲する溝２１ｂ（図３参照）が設けられている。
【００１５】
シール部材３は、可動側おも型２１の溝２１ｂに設けられている。シール部材３は、弾性を有し、例えば、弾性を有する材料からなるとよい。図３に示すように、シール部材３は、流路３ａを備え、流路３ａはシール部材３の内部において延びる。シール部材３は、例えば、筒状体である。流路３ａは、流体供給経路４ａを介して、流体供給制御装置４から流体を供給される。流体は、気体又は液体でもよく、例えば、所定の粘性を有する液体を利用することができる。流体を所定の流量で流路３ａに供給すると、シール部材３は膨張変形する。
【００１６】
流体供給制御装置４は、固定金型１及び可動金型２の周辺に設けられている。流体供給制御装置４は、流体供給経路４ａを介して、流路３ａと接続している。流体供給制御装置４は、流体を流体供給経路４ａに通過させ、シール部材３の流路３ａに供給する。
【００１７】
減圧装置５は、固定金型１及び可動金型２の周辺に設けられている。減圧装置５は、ガス経路５ａを介して、金型キャビティＣ１に接続されている。減圧装置５は、金型キャビティＣ１内の気体をガス経路５ａに通過させて、金型キャビティＣ１から抜くことによって、減圧する。減圧装置５は、例えば、真空ポンプと、真空タンクとを用いて構成することができる。
【００１８】
（一動作例）
次に、図１〜図４を参照して、ダイカスト鋳造装置１０の一動作例について説明する。
【００１９】
図２及び図４に示すように、可動金型２を固定金型１に押し合わせて、型閉めを行う。すると、合わせ面１１ａと合わせ面２１ａとが押し合わされ、金型キャビティＣ１が形成される。減圧装置５によって金型キャビティＣ１を十分に減圧し、溶湯を射出スリーブ１ａから金型キャビティＣ１に充填する。溶湯を凝固させることによって、ダイカスト鋳造品を形成することができる。
【００２０】
さらに、これらダイカスト鋳造品の形成を繰り返した場合、固定金型１と可動金型２との位置が変位することがある。このような場合、合わせ面１１ａと合わせ面２１ａとが交差して成す角度θは、０（零）°超え９０°の範囲内にあることがある。ここで、所定の流量の流体を流路３ａに供給すると、流路３ａの内部圧力が高まる。これによってシール部材３は弾性を有するため、膨張するよう変形し、合わせ面１１ａと合わせ面２１ａとに追従する。従って、シール部材３は合わせ面１１ａと合わせ面２１ａとの間を閉塞することができ、金型キャビティＣ１における減圧状態は安定して維持される。よって、良好なシール性を確保することができる。
【００２１】
また、これらダイカスト鋳造品の形成を繰り返した場合、シール部材３が摩耗し、変形し、又は、熱硬化することがある。流体をより大きな流量で流路３ａに供給すると、シール部材３はさらに膨張変形し、合わせ面１１ａと合わせ面２１ａとに追従する。従って、シール部材３は合わせ面１１ａと合わせ面２１ａとの間を閉塞することができ、金型キャビティＣ１における減圧状態は安定して維持される。よって、良好なシール性を確保することができる。
【００２２】
なお、本発明は上記実施の形態に限られたものではなく、趣旨を逸脱しない範囲で適宜変更することが可能である。実施形態１に係るダイカスト鋳造装置１０では、シール部材３を可動金型２に設けたが、シール部材３を固定金型１に設けてもよい。また、実施形態１に係るダイカスト鋳造装置１０は、流体供給制御装置４を備えたが、流体供給装置を備えてもよい。流体供給装置は、流体の供給について制御機能を特に必要するものでなく、流体を単に供給する装置である。
【符号の説明】
【００２３】
１０  ダイカスト鋳造装置
１  固定金型                              １ａ  射出スリーブ
２  可動金型
３  シール部材                            ３ａ  流路
４  流体供給制御装置                      ４ａ  流体供給経路
５  減圧装置                              ５ａ  ガス経路
１１  固定側おも型
１１ａ  合わせ面                          １２  入子
２１  可動側おも型
２１ａ  合わせ面                          ２２  入子
Ｃ１  金型キャビティ
θ  角度
【図１】
2019093397.tif 000003
【図２】
2019093397.tif 000004
【図３】
2019093397.tif 000005
【図４】
2019093397.tif 000006